【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
少なくとも結着樹脂及び着色剤を含有するトナー粒子と無機化合物の微粒子とを有しているトナーにおいて、該無機化合物が少なくともリン酸系化合物から構成されていることを特徴とするトナー。
【請求項２】
該無機化合物を構成する陽イオンとして、少なくともアルカリ土類金属から選ばれる金属のイオンを含有することを特徴とする請求項１に記載のトナー。
【請求項３】
該無機化合物が少なくとも２種以上の陽イオンから構成され、少なくとも１種はＩＢ族及びＶＩＩＩ族金属元素から選ばれる金属のイオンであることを特徴とする請求項１又は２に記載のトナー。
【請求項４】
該無機化合物が、アルカリ土類金属のリン酸塩を主成分とする難水溶性微粒子であり、該アルカリ土類金属の一部が、ＩＢ族及びＶＩＩＩ族金属元素から選ばれる金属で置換されていることを特徴とする請求項１乃至３のいずれかに記載のトナー。
【請求項５】
該無機化合物が、アルカリ土類金属のリン酸塩を主成分とする難水溶性微粒子であり、該微粒子の表面近傍のアルカリ土類金属の一部が、ＩＢ族及びＶＩＩＩ族金属元素から選ばれる金属で置換されたものであることを特徴とする請求項１乃至３のいずれかに記載のトナー。
【請求項６】
該無機化合物の抵抗が１０４〜１０１２Ω・ｃｍであることを特徴とする請求項１乃至５のいずれかに記載のトナー。
【請求項７】
該無機化合物の数平均粒径が０．０５〜２μｍであることを特徴とする請求項１乃至６のいずれかに記載のトナー。
【請求項８】
該トナー粒子の画像解析装置で測定した形状係数ＳＦ−１の値が、
１００＜ＳＦ−１≦１６０
を満足することを特徴とする請求項１乃至７のいずれかに記載のトナー。
【請求項９】
該トナー粒子の画像解析装置で測定した形状係数ＳＦ−２の値が、
１００＜ＳＦ−２≦１４０
を満足することを特徴とする請求項１乃至８のいずれかに記載のトナー。
【請求項１０】
該トナー粒子が、軟化点が４０〜９０℃のワックスを含有することを特徴とする請求項１乃至９のいずれかに記載のトナー。
【請求項１１】
該ワックスの含有量がトナー全体に対し、０．１〜５０重量％であることを特徴とする請求項１０に記載のトナー。
【請求項１２】
該トナー粒子が、重量平均粒径１〜９μｍを有していることを特徴とする請求項１乃至１１のいずれかに記載のトナー。
【請求項１３】
該トナー粒子の一部又は全体が重合法により形成されたことを特徴とする請求項１乃至１２のいずれかに記載のトナー。
【請求項１４】
静電荷像担持体を帯電する帯電工程と、光エネルギーの照射により該静電荷像担持体上に静電潜像を形成する露光工程と、該静電荷像担持体上の静電潜像とトナー担持体に薄層コートされたトナーとを接触させながら現像する現像工程と、該トナー像を転写材に転写する転写工程を少なくとも有する画像形成方法において、
該トナーが少なくとも結着樹脂及び着色剤を含有するトナー粒子と無機化合物の微粒子とを有しており、該無機化合物が少なくともリン酸系化合物から構成されていることを特徴とする画像形成方法。
【請求項１５】
転写工程後、静電荷像担持体上に残る転写残トナーを、静電荷像担持体上から取り除くクリーニング工程を有することを特徴とする請求項１４に記載の画像形成方法。
【請求項１６】
該クリーニング工程が、静電荷像担持体に当接するクリーニング部材によって、転写工程後且つ、帯電工程前に行われることを特徴とする請求項１５に記載の画像形成方法。
【請求項１７】
該クリーニング工程が、現像工程においてトナー担持体により回収される現像兼クリーニングであり、転写工程後且つ帯電工程前、及び帯電工程後且つ現像工程前に、静電荷像担持体に当接するクリーニング部材によりクリーニングを行う工程を有していないことを特徴とする請求項１５に記載の画像形成方法。
【請求項１８】
該無機化合物を構成する陽イオンとして、少なくともアルカリ土類金属から選ばれる金属のイオンを含有することを特徴とする請求項１４乃至１７のいずれかに記載の画像形成方法。
【請求項１９】
該無機化合物が少なくとも２種以上の陽イオンから構成され、少なくとも１種はＩＢ族及びＶＩＩＩ族金属元素から選ばれる金属のイオンであることを特徴とする請求項１４乃至１８のいずれかに記載の画像形成方法。
【請求項２０】
該無機化合物が、アルカリ土類金属のリン酸塩を主成分とする難水溶性微粒子であり、該アルカリ土類金属の一部が、ＩＢ族及びＶＩＩＩ族金属元素から選ばれる金属で置換されていることを特徴とする請求項１４乃至１９のいずれかに記載の画像形成方法。
【請求項２１】
該無機化合物が、アルカリ土類金属のリン酸塩を主成分とする難水溶性微粒子であり、該微粒子の表面近傍のアルカリ土類金属の一部が、ＩＢ族及びＶＩＩＩ族金属元素から選ばれる金属で置換されたものであることを特徴とする請求項１４乃至１９のいずれかに記載の画像形成方法。
【請求項２２】
該無機化合物の抵抗が１０４〜１０１２Ω・ｃｍであることを特徴とする請求項１４乃至２１のいずれかに記載の画像形成方法。
【請求項２３】
該無機化合物の数平均粒径が０．０５〜２μｍであることを特徴とする請求項１４乃至２２のいずれかに記載の画像形成方法。
【請求項２４】
該トナー粒子の画像解析装置で測定した形状係数ＳＦ−１の値が、
１００＜ＳＦ−１≦１６０
を満足することを特徴とする請求項１４乃至２３のいずれかに記載の画像形成方法。
【請求項２５】
該トナー粒子の画像解析装置で測定した形状係数ＳＦ−２の値が、
１００＜ＳＦ−２≦１４０
を満足することを特徴とする請求項１４乃至２４のいずれかに記載の画像形成方法。
【請求項２６】
該トナー粒子が、軟化点が４０〜９０℃のワックスを含有することを特徴とする請求項１４乃至２５のいずれかに記載の画像形成方法。
【請求項２７】
該ワックスの含有量がトナー全体に対し、０．１〜５０重量％であることを特徴とする請求項２６に記載の画像形成方法。
【請求項２８】
該トナー粒子が、重量平均粒径１〜９μｍを有していることを特徴とする請求項１４乃至２７のいずれかに記載の画像形成方法。
【請求項２９】
該トナー粒子の一部又は全体が重合法により形成されたことを特徴とする請求項１４乃至２８のいずれかに記載の画像形成方法。
【手続補正２】
【補正対象書類名】明細書
【補正対象項目名】００５２
【補正方法】変更
【補正の内容】
【００５２】
しかしながら、トナー粒子のＳＦ−１及びＳＦ−２を本発明に記した如く規制することにより、粒径の小さいトナーであっても個々の粒子を均一に帯電させることが可能となることに加え、本発明に係わる無機化合物と帯電量の高いトナー粒子とが接触する際、無機化合物がトナーの過剰な電荷を受け取り、トナー帯電量が適度に緩和されるため帯電量が均一となり、高精細な画像を長期に渡って得ることができる。


【手続補正３】
【補正対象書類名】明細書
【補正対象項目名】０１４１
【補正方法】変更
【補正の内容】
【０１４１】
該画像形成装置により、トナー１３を用いて、温度２３℃／湿度６０％の条件下で耐久試験を行った。


【手続補正４】
【補正対象書類名】明細書
【補正対象項目名】図１
【補正方法】変更
【補正の内容】
【図１】本発明の画像形成方法に好ましく用いられる電子写真装置のプロセスの概略図である。